(57)【特許請求の範囲】
【請求項１】
物体側から順に、正の屈折力の第１レンズ群、負の屈折力の第２レンズ群、負の屈折力の第３レンズ群、正の屈折力の第４レンズ群、正の屈折力の第５レンズ群の５つのレンズ群からなり、前記第３レンズ群は負レンズを少なくとも２枚、正レンズを１枚配置し、
広角端から望遠端へのズーム変倍において、前記第２レンズ群と前記第３レンズ群と前記第４レンズ群は全て像側に移動し、前記第１レンズ群と前記第５レンズ群が固定であり、かつ前記第２レンズ群と前記第３レンズ群の光軸上の間隔は、広角端状態からズーム中間ポジションで狭まるように移動し、ズーム中間ポジションから望遠端状態で広がるように移動し、
合焦において、前記第３レンズ群が移動することを特徴とする内焦式望遠ズームレンズ。
【請求項２】
前記第５レンズ群は物体側より順に、正の屈折力の第５Ａレンズ群、負の屈折力の第５Ｂレンズ群、正の屈折力の第５Ｃレンズ群を有し、前記第５Ｂレンズ群を光軸と略垂直方向に移動させて振れ補正を行うことを特徴とする請求項１に記載の内焦式望遠ズームレンズ。
【請求項３】
以下の条件式を満足する請求項１または２に記載の内焦式望遠ズームレンズ。
-0.6 < f2 / ft < -0.2      ・・・・・・（1）
-0.5 < f3 / ft < -0.1      ・・・・・・（2）
ただし、f2は前記第２レンズ群の焦点距離、f3は前記第３レンズ群の焦点距離、ftは望遠端状態での全系の焦点距離を示す
【請求項４】
以下の条件式を満足する請求項２に記載の内焦式望遠ズームレンズ。
-0.7 < f5B / f5 < -0.2      ・・・・・・（3）
ただし、f5Bは前記第５Ｂレンズ群の焦点距離、f5は前記第５レンズ群の焦点距離を示す
【請求項５】
前記第５Ｃレンズ群の少なくとも１枚の正レンズは以下の条件式を満足する請求項２又は４に記載の内焦式望遠ズームレンズ。
νd < 30        ・・・・・・・・・・・・（4）
ただし、νdは前記正レンズのアッベ数を示す
【請求項６】
以下の条件式を満足する請求項１〜５のうちのいずれか一項に記載の内焦式望遠ズームレンズ。
2ω < 50       ・・・・・・・・・・・・（5）
ただし、ωは広角端状態での半画角を示す
【発明の詳細な説明】
【技術分野】
【０００１】
本発明は、３５ｍｍ一眼レフカメラ、ビデオカメラ、デジタルカメラ等に用いられる大口径の内焦式望遠ズームレンズ、さらに詳しくは、ズーム比が2.8〜3.3倍程度、Fナンバー2.8程度の大口径の内焦式望遠ズームレンズに関する。
【背景技術】
【０００２】
従来の大口径ズームレンズのフォーカシング方法として、第１レンズ群で合焦させる、いわゆる前玉フォーカス方式がある。前玉フォーカス方式のズームレンズは、合焦移動レンズのレンズ径が大きくかつ重量が重いため、迅速なフォーカシングには不適であった。また、このフォーカシング方法は、フォーカス作動によるレンズ移動がズームレンズの重量バランスを大きく変化させるため、操作性が悪いという問題がある。さらに、望遠側の近距離合焦状態において、球面収差がアンダー側に倒れるので、その補正が困難である。
【０００３】
従来の大口径ズームレンズの他のフォーカシング方法として、第１レンズ群を前群と後群に分割し、後群でフォーカシングを行う、いわゆる前玉インナーフォーカス方式が提案されている。この前玉インナーフォーカス方式は、前記前玉フォーカス方式に比べ、望遠側の近距離合焦状態の球面収差変動は比較的抑え易いが、十分に補正することは困難である。また、フォーカス移動レンズも大幅な軽量化は望めず、迅速なフォーカシングには適していない。
【０００４】
従来の大口径ズームレンズのさらに他のフォーカシング方法として、第２レンズ群以降のレンズ群でフォーカシングを行う、インナーフォーカス方式が提案されている。このフォーカス方式は、一般にレンズ径を小さくできるため迅速なフォーカシングに適しており、フォーカス時のズームレンズの重量バランスも良い。しかし、このインナーフォーカス方式は、第１レンズの口径が大きい程近距離合焦状態における収差変動を抑えることが困難になる問題がある。
【先行技術文献】
【特許文献】
【０００５】
【特許文献１】特許第４４０１４６９号公報
【特許文献２】特開２００７−２１２８３０号公報
【特許文献３】特開２００９−０８６５３５号公報
【特許文献４】特開２００９−１５６８９３号公報
【特許文献５】特開平０７−０１３０７９号公報
【特許文献６】特許第３５６４０６１号公報
【発明の概要】
【発明が解決しようとする課題】
【０００６】
従来の大口径望遠ズームレンズとしては、物体側より順に正の屈折力の第１レンズ群、負の屈折力の第２レンズ群、正の屈折力の第３レンズ群、正の屈折力の第４レンズ群で構成し、第１レンズ群を前群と後群の２つに分割し、後群でフォーカシングを行う、前玉インナーフォーカス方式を採用したものが提案されている（例えば、特許文献１及び２を参照）。
これらの従来の大口径望遠ズームレンズは、上述したようにフォーカス移動レンズの重量が重く、迅速なフォーカシングに適していない。また、特に望遠側での近距離合焦状態における球面収差がアンダー側に倒れる問題を解決していない。
【０００７】
従来の他の大口径望遠ズームレンズとしては、物体側より順に正の屈折力の第１レンズ群、負の屈折力の第２レンズ群、正の屈折力の第３レンズ群、正の屈折力の第４レンズ群で構成し、第３レンズ群でフォーカシングを行う、インナーフォーカス方式を採用したものが提案されている（例えば、特許文献３及び４を参照）。
これらの従来の大口径望遠ズームレンズは、迅速なフォーカシングを可能としている。しかし、正の屈折力の第３レンズ群で行うフォーカシングは、無限遠合焦状態から近距離合焦状態に際し、特に広角端において非点収差がアンダー側へと変動し、近距離合焦状態においてこの非点収差が十分補正できない問題がある。
【０００８】
従来の他の大口径望遠ズームレンズとしては、物体側より順に、正の屈折力の第１レンズ群、負の屈折力の第２レンズ群、正の屈折力の第３レンズ群、正の屈折力の第４レンズ群を有し、第１レンズ群から第３レンズ群まででアフォーカル系を構成し、第４レンズ群をマスター群として結像させるものが提案されている（例えば、特許文献５を参照）。第４レンズ群は，物体側より順に正の屈折力の第４Ａ群、負の屈折力の第４Ｆ群、正の屈折力の第４Ｂ群で構成され、第４Ｆ群でフォーカシングを行っている。フォーカスレンズ群の第４Ｆ群は、正レンズと負レンズの接合レンズで構成され、小型軽量化を実現し、迅速なフォーカシングを可能としている。
【０００９】
しかし、特許文献３及び４の大口径望遠ズームレンズと同様に広角側の近距離合焦状態において像面湾曲が大きく、満足な結像性能を得られていない。一般に、マスターレンズ群である第４レンズ群内でのフォーカシングは、第１レンズの口径が大きい程、近距離合焦時の非点収差の変動を補正することが困難である。
【００１０】
従来の他の大口径望遠ズームレンズとしては、物体側より順に正の屈折力の第１レンズ群、正又は負の屈折力の第２レンズ群、負の屈折力の第３レンズ群、正の屈折力の第４レンズ群を有し、第２レンズ群でフォーカシングを行うものが提案されている（例えば、特許文献６を参照）。
【００１１】
広角端から望遠端へのズーム変倍に際し、フォーカス群である第２レンズ群を像側に移動させることによって、望遠端で軸上光束の入射高を下げることができ、上述した前玉インナーフォーカス方式に対し、フォーカス群の若干の小型化が可能となる。しかし、それでも十分な小型軽量化は不可能である。また、第２レンズ群で行うフォーカシングは、ズーム全域において無限遠合焦状態から近距離合焦状態に際し、非点収差の変動がオーバー側へと変動する。近距離合焦時において、この非点収差のオーバー側への変動を十分に補正することはできない。
【００１２】
（発明の目的）
本発明は、従来技術の大口径望遠ズームレンズの上述した問題点に鑑みなされたものであって、インナーフォーカス方式を採用することによって迅速なフォーカシングを可能とし、近距離合焦状態においても大きな収差が発生しない大口径の望遠ズームレンズを提供することを目的とする。さらに、レンズシステムのコンパクト化を実現し、全ズーム変倍範囲、全合焦距離範囲にわたり、高い光学性能を有する大口径の望遠ズームレンズを提供することを目的とする。
【課題を解決するための手段】
【００１３】
本発明は、
物体側から順に、正の屈折力の第１レンズ群、負の屈折力の第２レンズ群、負の屈折力の第３レンズ群、正の屈折力の第４レンズ群、正の屈折力の第５レンズ群の少なくとも５つのレンズ群を有し、広角端から望遠端へのズーム変倍において、前記第２レンズ群と前記第３レンズ群と前記第４レンズ群は全て像側に移動し、合焦において、前記第３レンズ群が移動することを特徴とする内焦式望遠ズームレンズである。
【００１４】
（実施態様の構成）
第１実施態様は、前記内焦式望遠ズームレンズにおいて、ズーム変倍の際、前記第１レンズ群と前記第５レンズ群が固定であることを特徴とする。
【００１５】
第２実施態様は、前記内焦式望遠ズームレンズにおいて、ズーム変倍の際、前記第２レンズ群と前記第３レンズ群の光軸上の間隔は、広角端状態からズーム中間焦点距離状態で狭まるように移動し、ズーム中間焦点距離状態から望遠端状態で広がるように移動することを特徴とする。
【００１６】
第３実施態様は、前記内焦式望遠ズームレンズにおいて、前記第５レンズ群は物体側より順に、正の屈折力の第５Ａレンズ群、負の屈折力の第５Ｂレンズ群、正の屈折力の第５Ｃレンズ群を有し、前記第５Ｂレンズ群を光軸と略垂直方向に移動させて振れ補正を行うことを特徴とする。
【００１７】
第４実施態様は、前記内焦式望遠ズームレンズにおいて、以下の条件式を満足する。
-0.6 < f2 / ft < -0.2      ・・・・・・（1）
-0.5 < f3 / ft < -0.1      ・・・・・・（2）
ただし、f2は前記第２レンズ群の焦点距離、f3は前記第３レンズ群の焦点距離、ftは望遠端状態での全系の焦点距離を示す。
【００１８】
第５実施態様は、前記内焦式望遠ズームレンズにおいて、以下の条件式を満足する。
0.7 < f5B / f5 < -0.2      ・・・・・・（3）
ただし、f5Bは前記第５Ｂレンズ群の焦点距離、f5は前記第５レンズ群の焦点距離を示す。
【００１９】
第６実施態様は、前記内焦式望遠ズームレンズにおいて、前記第５Ｃレンズ群の少なくとも１枚の正レンズは以下の条件式を満足する。
νd < 30      ・・・・・・・・・・・・（4）
ただし、νdは前記正レンズのアッベ数を示す。
【００２０】
第７実施態様は、前記内焦式望遠ズームレンズにおいて、以下の条件式を満足する。
2ω < 50      ・・・・・・・・・・・・（5）
ただし、ωは広角端状態での半画角を示す。
【００２１】
（発明の作用効果）
本発明の内焦式望遠ズームレンズは、物体側より順に、正の屈折力の第１レンズ群、負の屈折力の第２レンズ群、負の屈折力の第３レンズ群、正の屈折力の第４レンズ群、正の屈折力の第５レンズ群を有し、広角端から望遠端へのズーム作動に際し、第２レンズ群と第３レンズ群と第４レンズ群は全て像側に移動する。
【００２２】
このレンズ群移動において、第３レンズ群を像側に移動させることによってズーム変倍を行い、それに伴う像点移動は、第２レンズ群と第４レンズ群を像側に移動させることによって補正する。その際、移動する３つのレンズ群は全て変極点を持たずに像側に移動することが望ましい。この構成により、カム筒を２つ以上に分けることなく、移動する３つのレンズ群を一つのカム筒で移動させることが可能となり、鏡筒の小型化に寄与する。
【００２３】
無限遠合焦状態から近距離合焦状態への合焦作動は、第３レンズ群を物体側へ移動させることによって行う。第３レンズ群の移動によって行うフォーカス方式は、第１レンズ群をフォーカス群とする、所謂前玉フォーカス方式や、第１レンズ群を第１レンズ前群と第１レンズ後群に分割したうちの後群で合焦を行う、所謂前玉インナーフォーカス方式に比べて、移動レンズ群の直径が小さく、軽量であり、フォーカス機構の小型化と迅速なフォーカシングに適している。また、本発明の第３レンズ群の合焦移動は、物体距離の変動に対する球面収差及び非点収差の変動が小さく、近距離合焦状態においても良好な結像性能を得ることができる。
【００２４】
開口絞りは、第５レンズ群の物体側に、第５レンズ群に隣接して、もしくは第５レンズ群の内部に配置され、合焦作動において固定であることが好ましい。この構成により、全ズーム変倍範囲でＦナンバー（口径比）を一定にすることができる。
【００２５】
第１レンズ群は、好ましくは、負レンズを１枚、正レンズを少なくとも２枚、望ましくは３枚によって構成される。この構成により、ズーム全域に渡り、残存球面収差を小さくすることができる。
【００２６】
第３レンズ群は、好ましくは、負レンズを少なくとも２枚、正レンズを１枚配置することによって構成される。第３レンズ群の最良の形態は、物体側より順に、物体側に凸面を向けた負メニスカスレンズ、負レンズと正レンズの接合レンズ、負レンズによって構成される。この構成により、近距離合焦状態で非点収差がアンダーになるのを最小限に抑えることができる。
【００２７】
（実施態様の作用効果）
（第１実施態様）
前述した本発明の内焦式望遠ズームレンズにおいて、ズーム変倍の際、第１レンズ群と最終レンズ群は光軸方向に固定である。この構成は、ズーム変倍機構の簡素化が図れることと、鏡筒内部へのゴミの侵入を防ぐ点で望ましい。ズーム比が３倍を超える内焦式望遠ズームレンズにおいては、収差的観点より、第１レンズ群を移動させても良い。
【００２８】
（第２実施態様）
前述した本発明の内焦式望遠ズームレンズの第１レンズ群が固定である光学系において、ズーム変倍の際、第２レンズ群と第３レンズ群の光軸上の間隔は、広角端状態からズーム中間焦点距離状態まで狭まるように移動し、ズーム中間焦点距離状態ら望遠端状態で広がるように移動する。この構成により、全ズーム変倍範囲にわたり像面湾曲を良好に補正することが可能となる。すなわち、ズーム中間焦点距離状態で非点収差がアンダーになるのを補正できる。
【００２９】
（第３実施態様）
前述した本発明の内焦式望遠ズームレンズの第５レンズ群は、物体側より順に、正の屈折力の第５Ａレンズ群、負の屈折力の第５Ｂレンズ群、正の屈折力の第５Ｃレンズ群を有する。振れ補正レンズ群は第５Ｂレンズ群であり、第５Ｂレンズ群を光軸と略直交方向に移動させることにより、手振れ等の振れの補正を行う。この構成により、振れ補正レンズ群の軽量化が図れ、振れ補正機構を小型化することが可能となる。
【００３０】
第５Ａレンズ群は、正レンズを少なくとも３枚、負レンズを少なくとも１枚で構成することが望ましい。第５Ａレンズ群は，球面収差、コマ収差の発生を極力抑えつつ大口径の光束を収斂させ、振れ防止群である第５Ｂレンズ群の外径を小さくする必要がある。また、レンズ枚数が増えるのを抑える構成とするには、第５Ａレンズ群は、物体側より順に、両凸の正レンズ、物体側に凸面を向けた正メニスカスレンズ、負レンズと正レンズの接合レンズで構成し、前記正メニスカスレンズと前記負レンズの間は、正の空気レンズとすることが望ましい。さらに詳しくは、正レンズ３枚で発生する球面収差、コマ収差を１枚の負レンズと前記正の空気レンズによって、良好に補正することが可能となる。この構成により、諸収差の発生を抑えつつ第５Bレンズ群の外径を小さくすることができる。
【００３１】
従来から多く提案されている大口径望遠ズームレンズは、物体側より順に、正の屈折力の第１レンズ群、負の屈折力の第２レンズ群、正の屈折力の第３レンズ群、正の屈折力の第４レンズ群から構成される、４群ズーム構成である。本発明は可動群がさらに１つ増えた、５群ズーム構成となる。しかし、条件式（1）〜（5）を含む以下の実施態様においては、可動群が増えても従来の４群ズーム構成と同等以上のシステムの小型化、及び最適な性能を発揮させることができる。
【００３２】
（第４実施態様）
前述した本発明の内焦式望遠ズームレンズにおいて、条件式（1）、（2）は、第２レンズ群と第３レンズ群の焦点距離を適切に設定するための条件式であり、全系の小型化と良好な性能を得るのに必要不可欠な条件となる。
-0.6 < f2 / ft < -0.2      ・・・・・・・・・・・・・・（1）
-0.5 < f3 / ft < -0.1      ・・・・・・・・・・・・・・（2）
ここで、f2は第２レンズ群の焦点距離、f3は第３レンズ群の焦点距離、ftは望遠端状態での全系の焦点距離である。
【００３３】
条件式（1）の上限を超えると、第２レンズ群の移動量が減少するとともに、全長と絞り径の小型化に有利となるが、ズーミングによる球面収差、非点収差の変動が大きくなり、好ましくない。また、近距離合焦状態における望遠端での球面収差の補正が困難になる。一方、条件式（1）の下限値を超えると、第２レンズ群の移動量が著しく増加するため、システムの小型化に好ましくない。
【００３４】
条件式（2）の上限値を超えると、全長と絞り径の小型化に有利となる他、フォーカス移動量が減少するため、フォーカスカム配置が容易となるメリットがある。しかし、第３レンズ群は最もズーム変倍作用を担う群であるため、この群のパワーが強くなると、諸収差の補正が困難になる。特に球面収差、非点収差、コマ収差の補正が困難になる。一方、条件式（2）の下限値を超えると、上記の諸収差には有利となるが、小型化には不利になる。特に、フォーカス移動量が増加することにより、フォーカスカム全長が大きくなり、フォーカス機構の配置が困難になることと、絞り径が大きくなることにより、鏡筒径の大型化を招き、好ましくない。
【００３５】
（第５実施態様）
前述した本発明の内焦式望遠ズームレンズにおいて、条件式（3）は、第５Ｂレンズ群と第５レンズ群の焦点距離を適切に設定するための条件式である。
-0.7 < f5B / f5 < -0.2      ・・・・・・・・・・・・・・・（3）
ここで、f5Bは前記第５Ｂレンズ群の焦点距離、f5は前記第５レンズ群の焦点距離を示す。
【００３６】
条件式（3）の上限を超えると、防振群のパワーが強くなり、防振群の小型化には有利となるが、諸収差の補正が困難になる。特に、球面収差、非点収差の補正が困難になる。一方、条件式（3）の下限を超えると、諸収差の補正には有利となるが、防振群のレンズ外径が大きくなると共に、振れ補正時における光軸と垂直方向への移動量が増加し、振れ防止アクチュエータの大型化を招き、好ましくない。
【００３７】
（第６実施態様）
前述した本発明の内焦式望遠ズームレンズにおいて、条件式（4）は倍率色収差、コマ収差を良好に補正するための条件式である。
νd < 30      ・・・・・・・・・・・・・・・・・・・（4）
ここで、νdは第５Ｃレンズ群に含まれる少なくとも１枚の正レンズのアッベ数である。
【００３８】
条件式（4）の上限を超えると、広角端でのg線の倍率色収差、及び上線側のg線コマ収差、望遠端での上線側のC線コマ収差を良好に補正することが困難になる。
【００３９】
（第７実施態様）
前述した本発明の内焦式望遠ズームレンズにおいて、条件式（5）は広角端状態での画角を規定する条件式である。
2ω <  50      ・・・（5）
ここで、ωは広角端状態での半画角を示す。
【００４０】
条件式（5）の下限を超えると、広角端での近距離合焦状態における非点収差がアンダーとなり、補正が困難になり好ましくない。
【図面の簡単な説明】
【００４１】
【図１】本発明に係る実施形態１の内焦式望遠ズームレンズの無限遠合焦状態の光学断面図であり、（Ｗ）は広角端焦点距離状態、（Ｍ）は中間焦点距離状態、（Ｔ）は望遠端焦点距離状態である。
【図２（ａ）】本発明に係る実施形態１の内焦式望遠ズームレンズの広角端焦点距離状態の諸収差図であり、無限遠合焦状態の収差図である。
【図２（ｂ）】本発明に係る実施形態１の内焦式望遠ズームレンズの広角端焦点距離状態の諸収差図であり、近距離合焦状態の収差図である。
【図３（ａ）】本発明に係る実施形態１の内焦式望遠ズームレンズの中間焦点距離状態の諸収差図であり、無限遠合焦状態の収差図である。
【図３（ｂ）】本発明に係る実施形態１の内焦式望遠ズームレンズの中間焦点距離状態の諸収差図であり、近距離合焦状態の収差図である。
【図４（ａ）】本発明に係る実施形態１の内焦式望遠ズームレンズの望遠端焦点距離状態の諸収差図であり、無限遠合焦状態の収差図である。
【図４（ｂ）】本発明に係る実施形態１の内焦式望遠ズームレンズの望遠端焦点距離状態の諸収差図であり、近距離合焦状態の収差図である。
【図５】本発明に係る実施形態２の内焦式望遠ズームレンズの無限遠合焦状態の光学断面図であり、（Ｗ）は広角端焦点距離状態、（Ｍ）は中間焦点距離状態、（Ｔ）は望遠端焦点距離状態である。
【図６（ａ）】本発明に係る実施形態２の内焦式望遠ズームレンズの広角端焦点距離状態の諸収差図であり、無限遠合焦状態の収差図である。
【図６（ｂ）】本発明に係る実施形態２の内焦式望遠ズームレンズの広角端焦点距離状態の諸収差図であり、近距離合焦状態の収差図である。
【図７（ａ）】本発明に係る実施形態２の内焦式望遠ズームレンズの中間焦点距離状態の諸収差図であり、無限遠合焦状態の収差図である。
【図７（ｂ）】本発明に係る実施形態２の内焦式望遠ズームレンズの中間焦点距離状態の諸収差図であり、近距離合焦状態の収差図である。
【図８（ａ）】本発明に係る実施形態２の内焦式望遠ズームレンズの望遠端焦点距離状態の諸収差図であり、無限遠合焦状態の収差図である。
【図８（ｂ）】本発明に係る実施形態２の内焦式望遠ズームレンズの望遠端焦点距離状態の諸収差図であり、近距離合焦状態の収差図である。
【図９】本発明に係実施形態３の内焦式望遠ズームレンズの無限遠合焦状態の断面図であり、（Ｗ）は広角端焦点距る離状態、（Ｍ）は中間焦点距離状態、（Ｔ）は望遠端焦点距離状態である。
【図１０（ａ）】本発明に係る実施形態３の内焦式望遠ズームレンズの広角端焦点距離状態の諸収差図であり、無限遠合焦状態の収差図である。
【図１０（ｂ）】本発明に係る実施形態３の内焦式望遠ズームレンズの広角端焦点距離状態の諸収差図であり、近距離合焦状態の収差図である。
【図１１（ａ）】本発明に係る実施形態３の内焦式望遠ズームレンズの中間焦点距離状態の諸収差図であり、無限遠合焦状態の収差図である。
【図１１（ｂ）】本発明に係る実施形態３の内焦式望遠ズームレンズの中間焦点距離状態の諸収差図であり、近距離合焦状態の収差図である。
【図１２（ａ）】本発明に係る実施形態３の内焦式望遠ズームレンズの望遠端焦点距離状態の諸収差図であり、無限遠合焦状態の収差図である。
【図１２（ｂ）】本発明に係る実施形態３の内焦式望遠ズームレンズの望遠端焦点距離状態の諸収差図であり、近距離合焦状態の収差図である。
【図１３】本発明に係る実施形態４の内焦式望遠ズームレンズの無限遠合焦状態の光学断面図であり、（Ｗ）は広角端焦点距離状態、（Ｍ）は中間焦点距離状態、（Ｔ）は望遠端焦点距離状態である。
【図１４（ａ）】本発明に係る実施形態４の内焦式望遠ズームレンズの広角端焦点距離状態の諸収差図であり、無限遠合焦状態の収差図である。
【図１４（ｂ）】本発明に係る実施形態４の内焦式望遠ズームレンズの広角端焦点距離状態の諸収差図であり、近距離合焦状態の収差図である。
【図１５（ａ）】本発明に係る実施形態４の内焦式望遠ズームレンズの中間焦点距離状態の諸収差図であり、無限遠合焦状態の収差図である。
【図１５（ｂ）】本発明に係る実施形態４の内焦式望遠ズームレンズの中間焦点距離状態の諸収差図であり、近距離合焦状態の収差図である。
【図１６（ａ）】本発明に係る実施形態４の内焦式望遠ズームレンズの望遠端焦点距離状態の諸収差図であり、無限遠合焦状態の収差図である。
【図１６（ｂ）】本発明に係る実施形態４の内焦式望遠ズームレンズの望遠端焦点距離状態の諸収差図であり、近距離合焦状態の収差図である。
【発明を実施するための形態】
【００４２】
以下に示す実施形態を示す数値表において、長さの単位はすべて「mm」であり、画角の単位はすべて「°」である。また、各数値実施例において、fは焦点距離、bfはバックフォーカス、FNo.はFナンバー、ωは半画角、rは曲率半径、dは面間隔、ndはｄ線に対する屈折率、νdはｄ線に対するアッベ数である。
【００４３】
本発明の実施形態の内焦式望遠ズームレンズは、図１，図５，図９，図１３の光学断面図に示すように、物体側から像側へ順に、正の屈折力の第１レンズ群LG１、負の屈折力の第２レンズ群LG２、負の屈折力の第３レンズ群LG３、正の屈折力の第４レンズ群LG４、正の屈折力の第５レンズ群LG５を有する。前記第５レンズ群LG５は、物体側より順に、正の屈折力の第５Ａレンズ群５A、負の屈折力の第５Ｂレンズ群５B、正の屈折力の第５Ｃレンズ群５Cを有する。前記第５Ｂレンズ群５Bは、光軸と略垂直方向に移動される振れ補正レンズである。Ｓは、絞りである。ＩＰは結像面である。
【００４４】
（第１実施形態）
f     = 71.8000 〜 194.5000
FNo.  = 2.90
2ω   = 33.71〜12.42
【００４５】
面番号  r        d          nd        vd
物面    ∞      (d0)
1   133.7102    2.0000    1.80610    33.27
2    77.3487    8.5500    1.43700    95.10
3   537.2688    0.2000
4   116.5358    4.6988    1.49700    81.61
5   298.9745    0.2000
6    84.2299    8.2046    1.49700    81.61
7  3112.4218     (d7)
8 -2017.5362    3.5529    1.90366    31.31
9  -106.5734    1.5000    1.69680    55.46
10   51.7905     (d10)
11  226.3153    1.3000    1.61800    63.39
12   60.1827    3.2285
13  407.1084    1.3000    1.48749    70.44
14   40.0019    4.8000    1.80518    25.46
15  205.8653    3.1602
16  -66.4978    1.3000    1.83481    42.72
17  230.8342    (d17)
18  378.2306    3.8000    1.77250    49.62
19  -93.1471    0.2000
20   49.2255    9.6077    1.48749    70.44
21  -52.6701    1.3000    1.83481    42.72
22  497.7462    (d22)
23（絞り）∞    3.8462
24   48.2164    7.9959    1.72916    54.67
25 -113.7175    0.2000
26   45.1106    4.5932    1.49700    81.61
27  163.1315    1.8091
28  -99.0801    1.5000    1.80610    33.27
29   26.4891    8.3490    1.49700    81.61
30  -86.0385    1.7067
31 -133.2957    3.7000    1.80518    25.46
32  -33.1117    1.0000    1.56883    56.04
33   99.7696    1.8312
34  -78.7563    1.0000    1.60342    38.01
35   40.8845    3.0000
36  118.2041    7.5038    1.6980     55.46
37  -39.085     2.5092
38  -29.1014    1.3000    1.90366    31.31
39 -101.842     0.2000
40  160.349     3.9189    1.84666    23.78
41  -80.3525    (bf)
【００４６】
（無限遠合焦時の可変間隔）
広角        中間        望遠
f      71.8000    118.0000     194.5000
d0      ∞           ∞          ∞
d7      2.2014     25.5869      39.7471
d10    20.5031     13.5000      18.9574
d17    21.2237     13.7979       1.5461
d22    17.8225      8.8658       1.5000
bf     57.0050     57.0050      57.0050
【００４７】
（近距離焦時の可変間隔（撮影距離1.3ｍ））
広角        中間        望遠
f      67.8957     101.5451    135.4638
d0   1065.7000    1065.7000   1065.7000
d7      2.2014      25.5869     39.7471
d10    18.2357       8.2041      6.9574
d17    23.4911      19.0938     13.5461
d22    17.8225       8.8658      1.5000
bf     57.0050      57.0050     57.0050
【００４８】
（条件式対応値）
条件式（1）：-0.43
条件式（2）：-0.27
条件式（3）：-0.41
条件式（4）：23.78
条件式（5）：33.71
【００４９】
（第２実施形態）
f     = 71.8000〜194.5000
FNo.  = 2.90
2ω   = 33.99〜12.38
【００５０】
面番号  r          d          nd      vd
物面   ∞        (d0)
1   168.0695     2.0000    1.80610   33.27
2    86.3890     7.1516    1.43700   95.10
3   335.2996     0.2000
4   108.3062     8.6332    1.49700   81.61
5  -440.8938     0.2000
6    87.3580     5.8682    1.49700   81.61
7   258.7690     (d7)
8  -436.3849     4.8930    1.90366   31.31
9   -83.9220     1.5000    1.69680   55.46
10   56.0461     (d10)
11  373.3183     1.5000    1.61800   63.39
12   36.5197     4.5000    1.80518   25.46
13   80.4129     3.8423
14  -66.4998     1.5000    1.72916   54.67
15  255.9223     (d15)
16  181.0687     4.5000    1.65844   50.85
17 -144.4009     0.2000
18   62.3870     7.7276    1.48749   70.44
19  -46.0414     1.3000    1.83481   42.72
20 -352.3157     (d20)
21    ∞        11.6606
22   47.6896     6.6162    1.7291    54.67
23 -209.7151     0.2000
24   33.3934     3.4765    1.48749   70.44
25   54.2887     1.9564
26  310.5595     1.5000    1.80610   33.27
27   23.1240     7.2903    1.49700   81.61
28 -371.5104     1.7000
29   71.6469     3.8000    1.76182   26.61
30  -79.4991     1.0000    1.54072   47.20
31   37.4048     3.3284
32  -81.8037     1.0000    1.60342   38.01
33   35.4101     3.0000
34   68.1495     3.1002    1.72916   54.67
35 -828.2488     0.2000
36  210.7522     3.4497    1.49700   81.61
37  -71.1434     2.2774
38  -29.4822     1.3000    1.91082   35.25
39 -102.8778     0.2000
40  232.6053     4.0351    1.84666   23.78
41  -69.2522     (bf)
【００５１】
（無限遠合焦時の可変間隔）
広角        中間        望遠
f      71.8000     135.0000    194.5000
d0      ∞          ∞          ∞
d7      4.2635      31.2149     40.2635
d10    18.2735      14.4022     20.2735
d15    25.3011      12.8457      1.5000
d20    15.6989       5.0743      1.5000
bf     52.2642      52.2642     52.2642
【００５２】
（近距離焦時の可変間隔（撮影距離1.26ｍ））
広角        中間          望遠
f       67.2740     108.2043     129.9725
d0    1027.6700    1027.6700    1027.6700
d7       4.2635      31.2149      40.2635
d10     15.2632       5.7166       4.7735
d15     28.3115      21.5312      17.0000
d20     15.6989       5.0743       1.5000
bf      52.2642      52.2642      52.2642
【００５３】
（条件式対応値）
条件式（1）：-0.43
条件式（2）：-0.31
条件式（3）：-0.47
条件式（4）：23.78
条件式（5）：33.99
【００５４】
（第３実施形態）
f     = 71.8000 〜 194.5000
FNo.  = 2.90
2ω   = 34.24〜12.38
【００５５】
面番号  r          d          nd        vd
物面    ∞        (d0)
1   202.0514      2.0000     1.80610    33.27
2    96.9930      7.7606     1.43700    95.10
3  2214.1253      0.2000
4   144.7217      4.9708     1.49700    81.61
5   878.7669      0.2000
6   104.2134      7.5000     1.49700    81.61
7 -2277.6749      (d7)
8  -251.5154      3.4898     1.90366    31.31
9   -91.9596      1.5000     1.61800    63.39
10   67.7784      (d10)
11  310.8067      1.3000     1.61800    63.39
12   39.4576      3.5312     1.84666    23.78
13   74.6176      3.7826
14  -85.1546      1.3000     1.77250    49.62
15  266.9081      (d15)
16  107.7423      3.3267     1.90366    31.31
17 -531.1804      0.2000
18   75.4766      6.7244     1.49700    81.61
19  -54.8088      1.3000     1.90366    31.31
20-3998.1043      (d20)
21   ∞           8.7534
22   54.1984      7.0000     1.72916    54.67
23 -227.1268      0.2000
24   29.8676      5.0108     1.49700    81.61
25   54.6562      0.8501
26   87.5523      1.5000     1.80610    33.27
27   20.4726      8.8057     1.51680    64.20
28   75.7855      3.0000
29 -184.7505      2.4265     1.80809    22.76
30  -60.1780      1.0000     1.48749    70.44
31   31.6747      2.6287
32 2537.9359      1.0000     1.62004    36.30
33   71.3329      2.5000
34  115.819       3.0110     1.69680    55.46
35 -146.3896      0.2000
36   69.9312      4.4440     1.49700    81.61
37  -75.6379      2.2360
38  -35.8703      1.5000     1.91082    35.25
39 -380.1377      0.2000
40   94.3088      3.5300     1.84666    23.78
41 -200.8297      (bf)
【００５６】
（無限遠合焦時の可変間隔）
広角        中間        望遠
f      71.8000    118.3000    194.5000
d0      ∞          ∞          ∞
d7      2.5324     28.9303     44.5324
d10    25.7682     17.3185     23.7682
d15    29.4896     18.7279      1.5000
d20    15.5561      8.3694      3.5454
bf     52.1793     52.1793     52.1793
【００５７】
（近距離焦時の可変間隔（撮影距離1.22ｍ））
広角        中間        望遠
f      66.6965     97.4987     125.2552
d0    987.1200    987.1200     987.1200
d7      2.5324     28.9303      44.5324
d10    21.9736      8.4568       4.1998
d15    33.2839     27.5895      21.0684
d20    15.5561      8.3694       3.5454
bf     52.1793     52.1793      52.1793
【００５８】
（条件式対応値）
条件式（1）：-0.53
条件式（2）：-0.34
条件式（3）：-0.49
条件式（4）：23.78
条件式（5）：34.24
【００５９】
（第４実施形態）
f     = 71.8000〜229.9997
FNo.  = 2.90
2ω   = 33.91〜10.52
【００６０】
面番号  r          d        nd        vd
物面    ∞       (d0)
1   168.9039     2.0000    1.80610   33.27
2    98.9727    15.0000    1.43700   95.10
3   992.0413     0.2000
4   150.4149     7.0000    1.49700   81.61
5   288.2782     0.2000
6   109.2986    12.5000    1.49700   81.61
7  1870.7002     (d7)
8  -776.2971     4.3383    1.90366   31.31
9   -86.4752     1.5000    1.69680   55.46
10   70.7400     (d10)
11  170.2668     1.3000    1.61800   63.39
12   55.4466     8.0000
13  113.9570     1.3000    1.48749   70.44
14   38.9641     4.8000    1.80518   25.46
15   99.8184     4.0570
16  -59.8081     1.3000    1.83481   42.72
17  417.6836     (d17)
18  452.6093     3.8000    1.77250   49.62
19  -84.5970     0.2000
20   57.1824     7.4108    1.48749   70.44
21  -55.3730     1.3000    1.83481   42.72
22 2673.0074     (d22)
23（絞り）∞     1.5000
24   47.4953     6.5818    1.72916   54.67
25 -218.9876     1.5454
26   42.0736     4.6774    1.49700   81.61
27  131.0314     1.5022
28 -215.3921     1.5000    1.80610   33.27
29   23.6600     8.0000    1.49700   81.61
30  -83.5476     2.1511
31  -93.1477     3.7000    1.80518   25.46
32  -32.7574     1.0000    1.56883   56.04
33   51.9678     2.1285
34 -139.1688     1.0000    1.60342   38.01
35   43.4693     3.0000
36   85.1764     4.9500    1.69680   55.46
37  -45.5489     2.8325
38  -29.7059     1.3000    1.90366   31.31
39  -81.5868     0.2000
40  200.1011     3.8555    1.84666   23.78
41  -74.7257     bf
【００６１】
（無限遠合焦時の可変間隔）
広角        中間        望遠
f      71.8000    118.0000    229.9997
d0      ∞          ∞          ∞
d7      2.5167     37.7120     60.9113
d10    12.7284     20.0434     35.5626
d17    21.9412     15.5134      1.5000
d22    18.1051     10.5147      2.5010
bf     56.3966     56.3966     56.3966
【００６２】
（近距離焦時の可変間隔（撮影距離1.3ｍ））
広角        中間        望遠
f      68.0065    4102.2086    149.9352
d0   1160.0000    1131.5100   1114.8200
d7      2.5167      37.7120     60.9113
d10    10.5781      14.9221     20.9629
d17    24.0915      20.6346     16.0997
d22    18.1051      10.5147      2.5010
bf     56.3966      56.3966     56.3966
【００６３】
（条件式対応値）
条件式（1）：-0.50
条件式（2）：-0.22
条件式（3）：-0.33
条件式（4）：23.78
条件式（5）：33.91
【符号の説明】
【００６４】
Ｓ            絞り
ＩＰ          結像面
ＬＧ１        第１レンズ群
ＬＧ２        第２レンズ群
ＬＧ３        第３レンズ群
ＬＧ４        第４レンズ群
ＬＧ５        第５レンズ群
５Ａ          第５Ａレンズ群
５Ｂ          第５Ｂレンズ群
５Ｃ          第５Ｃレンズ群
【図１】
0005854269.tif 000002
【図２（ａ）】
0005854269.tif 000003
【図２（ｂ）】
0005854269.tif 000004
【図３（ａ）】
0005854269.tif 000005
【図３（ｂ）】
0005854269.tif 000006
【図４（ａ）】
0005854269.tif 000007
【図４（ｂ）】
0005854269.tif 000008
【図５】
0005854269.tif 000009
【図６（ａ）】
0005854269.tif 000010
【図６（ｂ）】
0005854269.tif 000011
【図７（ａ）】
0005854269.tif 000012
【図７（ｂ）】
0005854269.tif 000013
【図８（ａ）】
0005854269.tif 000014
【図８（ｂ）】
0005854269.tif 000015
【図９】
0005854269.tif 000016
【図１０（ａ）】
0005854269.tif 000017
【図１０（ｂ）】
0005854269.tif 000018
【図１１（ａ）】
0005854269.tif 000019
【図１１（ｂ）】
0005854269.tif 000020
【図１２（ａ）】
0005854269.tif 000021
【図１２（ｂ）】
0005854269.tif 000022
【図１３】
0005854269.tif 000023
【図１４（ａ）】
0005854269.tif 000024
【図１４（ｂ）】
0005854269.tif 000025
【図１５（ａ）】
0005854269.tif 000026
【図１５（ｂ）】
0005854269.tif 000027
【図１６（ａ）】
0005854269.tif 000028
【図１６（ｂ）】
0005854269.tif 000029